(57)【特許請求の範囲】
【請求項１】
装置本体に支持軸によりアーム保持部材を回転自在に取り付け、
上記支持軸を中心としたアーム保持部材の両端部に対向したアームをそれぞれ取り付け、
上記２本のアームの自由端の対抗面に突起を設け、上記突起を釣り糸スプールの両側面の中心に押しつけてこれを支持するようにしたリール巻き取り用釣り糸スプール支持装置。
【請求項２】
上記のアームを支点ピンにより揺動自在に上記のアーム保持部材に取り付けると共に、その取り付け側端部に規制突起を設け、
上記支持軸にねじ結合させた調節ねじを上記規制突起に当接させ、上記調節ねじにより規制突起の当接位置を変えることにより、両アームの開き角を調節するようにした請求項１に記載のリール巻き取り用釣り糸スプール支持装置。
【請求項３】
上記両アーム間に糸外れ防止部材を上下動自在に取り付け、その糸外れ防止部材と上記調節ねじとの間にばねを取り付け、上記糸外れ防止部材を上記釣り糸スプールの周面上端に押しつけてなる請求項２に記載のリール巻き取り用釣り糸スプール支持装置。
【請求項４】
上記アームの自由端から所要距離離れた上記装置本体の所定位置に、リール取付部を設け、このリール取付部に着脱自在に取り付けられたリールが上記アームの自由端と所要距離離れて対向するようにした請求項１乃至３のいずれかに記載のリール巻き取り用釣り糸スプール支持装置。
【発明の詳細な説明】
【０００１】
【発明の属する技術分野】
この発明は、リールに糸を巻き取るための釣り糸スプール支持装置に関する。
【０００２】
【従来の技術】
リールに釣り糸を巻く場合、一般に釣り糸が巻回されたスプールの中心軸穴に軸を挿入し、この軸を中心にしてスプールを回転させながら釣り糸を巻き取っていく。
【０００３】
【発明が解決しようとする課題】
しかしながら、上記の方法の場合、上記リールの軸を上記のスプールを挿入する軸と直角方向に向けて釣り糸を巻き取る場合、糸によりが生じる。このため、リールの使用時において、ルアー等をキャストして糸フケが生じた際にキンクを引き起こし、このキンクがリールスプールから糸が出る際の妨げとなったり、糸切れの原因となったりする場合がある。
【０００４】
そこで、この発明は、よりを与えることなく、釣り糸スプールから釣り糸をリールに巻き取るようにするものである。
【０００５】
【課題を解決するための手段】
この発明は、装置本体に支持軸によりアーム保持部材を回転自在に取り付け、上記支持軸を中心としたアーム保持部材の両端部に対向したアームをそれぞれ取り付け、上記２本のアームの自由端の対抗面に、釣り糸スプールの両側面の中心に押しつけてこれを支持する突起を設けることにより、上記課題を解決したものである。
【０００６】
上記の装置本体に取り付けられたアーム保持部材は支持軸を中心に回転自在であるため、図１に示すように、上記の釣り糸スプール８の軸方向と直角方向にリール２２をセットし、そのリール２２に上記釣り糸スプール８から糸を巻き取ると、糸のリール２２の糸巻部への巻き取りに合わせて、釣り糸スプール８は、回転する。このため、糸によりを与えることなく、リール２２に糸を巻き取ることができる。
【０００７】
【発明の実施の形態】
以下、この発明の実施形態を図面を参照して説明する。
【０００８】
この発明の実施形態のリール巻き取り用釣り糸スプール支持装置１は、図１に示すように、装置本体２に支持軸３によりアーム保持部材４を回転自在に取り付け、上記支持軸３を中心としたアーム保持部材４の両端部に対向したアーム５をそれぞれ取り付け、上記２本のアーム５の自由端の対抗面に突起６を設け、その突起６により、釣り糸スプール８の両側面の中心に押しつけてこれを支持するようにしたものである。
【０００９】
上記支持軸３は、図２に示すように、装置本体２の所定の位置にその軸を中心に回転自在に設けられており、アーム保持部材４に固着されている。このため、アーム保持部材４は、装置本体２に対して支持軸３を中心に回転自在となる。また、この支持軸３の先端は、ねじが切られており、ここに、円板状の調節ねじ１１がねじ嵌合されている。
【００１０】
上記アーム５は、アーム保持部材４に対して支点ピン１２によって揺動自在に取り付けられる。このアーム５の上記自由端と反対側の端部、すなわち、支点ピン１２を取り付けた側の端部には、規制突起１３が設けられ、上記調節ねじ１１と当接可能となる。調節ねじ１１によって、これと上記規制突起１３と当接位置を調節すれば、アーム５の自由端側の突起６間の距離を調節することができる。したがって、釣り糸スプール８の幅に合わせて突起６間の距離を調節することにより、釣り糸スプール８の両側面の中心を支持することができる。このため、釣り糸スプール８の幅に影響されることなく、任意の釣り糸スプール８を支持することが可能となる。
【００１１】
上記両アーム５間には、糸外れ防止部材１４が、上下動自在に、かつ、両アーム５の動きを妨げないように取り付けられる。この糸外れ防止部材１４と調節ねじ１１の間には、ばね１５が設けられており、図３に示すように、糸外れ防止部材１４が、釣り糸スプール８の周面上端に押しつけられる。これにより、釣り糸スプール８の上面側から糸が外れて、アーム５等に絡むのを防止することができる。
【００１２】
上記装置本体２には、ストッパー１６が設けられる。このストッパー１６は、必要に応じて、アーム保持部材４の所定位置に嵌め込まれ、アーム保持部材４の装置本体２からの自由回転を抑制する。このストッパー１６を使用すれば、糸の巻き取り操作の前に釣り糸スプール８の糸の先端をリール２２に取り付ける作業を行うとき、アーム保持部材４が自由回転して、釣り糸スプール８の糸がアーム５等に絡むのを防止することができる。
【００１３】
上記２本のアーム５の自由端側の２つの突起６の間の距離は、上記のように、調節ネジ１１によって自由に調節できる。このため、両突起６間の距離を調節することにより、釣り糸スプール８を強く締めつけた状態で支持したり、緩く締めつけた状態で支持したりすることができる。釣り糸スプール８の強く締めつけた場合は、糸をリール２２に巻き取るとき、釣り糸スプール８の回転に多少の抵抗を与えるので、リール２２に糸を張った状態で巻き取ることができる。また、釣り糸スプール８を緩く締めつけた場合は、糸をリール２２に巻き取るとき、釣り糸スプール８の回転がより自在となるので、糸に張りを与えず、緩やかな状態で糸をリール２２に巻き取ることができる。
【００１４】
上記装置１には、アーム５の自由端から所要距離離れた装置本体２の所定位置に、リール取付部２１を設け、このリール取付部２１にリール２２を着脱自在に取り付けることができる。このリール２２がアーム５の自由端と所要距離離れて対向するように設けられ、リール２２への糸の巻き取りが容易となっている。
【００１５】
この場合、糸巻き操作時における釣り糸スプール８とリール２２は次の関係となる。すなわち、図４（ａ）に示すように、糸巻操作前においては、糸引き出し部２４は、釣り糸スプール８の円周部の下方に存在する。このとき、リール２２のベール２３は、糸引出し部２４から、リール２２の円周に沿ってその反対側にかけて設けられるので、釣り糸スプール８とベール２３の直線部は平行になる。次に、リール２２を回して糸巻を始めると、図４（ｂ）（ｃ）に示すように、ベール２３は回転を始める。このとき、釣り糸スプール８は、糸に引っ張られるので、ベール２３と平行関係を維持するように回転する。このため、リール２２の糸引出し部２４と釣り糸スプール８の位置関係は、常に一定状態となり、糸によりが生じるのを防止する。なお、リール２２の頭頂部のつまみ２５は、回転しないため、固定状態を保つ。
【００１６】
この発明にかかるリール巻き取り用釣り糸スプール支持装置１は、必ずしも、アーム保持部材４、アーム５等の釣り糸スプール８を支持する部材とリールを装置本体２で連結する必要はなく、図５や図６に示すように、装置本体２の先端に万力３１や吸盤３２等の連結部材を設け、これによって、リール巻き取り用釣り糸スプール支持装置１を固定することができる。このとき、リール２２は釣り竿等に装着した状態のままで糸巻をすることが可能となる。
【００１７】
【発明の効果】
この発明によれば、糸によりをかけずに糸巻をすることができ、糸切れ等を防ぐことができる。
【００１８】
また、調節ねじにより、突起間の距離を調節することができるので、釣り糸スプールの厚みに関係なく、釣り糸スプールを支持することができる。
【００１９】
さらにまた、２本のアームがアーム保持部材の両端部に対抗して、揺動自在に設けられるので、釣り糸スプールの円周面の中心をアーム保持部材の回転中心を一致させることができ、糸巻時、釣り糸スプールをバランスよく、スムーズに回転させることができる。
【００２０】
さらに、釣り糸スプールの支持の強さを調節することにより、糸を張った状態でリールに巻き取ったり、張りのない緩やかな状態で糸をリールに巻き取ったりすることができる。
【図面の簡単な説明】
【図１】実施形態の正面図
【図２】図１の一部拡大断面図
【図３】図１の側面図
【図４】（ａ）（ｂ）（ｃ）図１のリール巻き取り用釣り糸スプール支持装置を用いた糸巻き時の状態を示す平面図
【図５】他の実施形態の正面図
【図６】他の実施形態の正面図
【符号の説明】
１  リール巻き取り用釣り糸スプール支持装置
２  装置本体
３  支持軸
４  アーム保持部材
５  アーム
６  突起
８  釣り糸スプール
１１  調節ねじ
１２  支点ピン
１３  規制突起
１４  糸外れ防止部材
１５  ばね
１６  ストッパー
２１  リール取付部
２２  リール
２３  ベール
２４  糸引き出し部
２５  つまみ
３１  万力
３２  吸盤
【図１】
0003889508.tif 000002
【図２】
0003889508.tif 000003
【図３】
0003889508.tif 000004
【図４】
0003889508.tif 000005
【図５】
0003889508.tif 000006
【図６】
0003889508.tif 000007